(57)【要約】【課題】第一端子と第二端子の弾性接触部との接触時に第二端子に加わる負荷を軽減させることができるコネクタ装置を提供する。【解決手段】第一コネクタは、第一ハウジングと、複数の第一端子を、第二コネクタは、第二ハウジングと、複数の第二端子を有する。第二端子は、第二ハウジングの挿入空間に挿入された第一端子と接触する弾性接触部を含み、挿入空間は、第一端子の挿入方向と第二端子の端子配列方向の双方に直交する方向において弾性接触部から離間された基準面を有する。弾性接触部は、第一端子との接触を通じて第一端子を直交する方向において基準面に接近する側に押し付けるように構成されている。第二ハウジングは、基準面に接近する側に突出する第二突出部を有し、第二突出部は第一ハウジングとの当接を通じて第一ハウジングによって支持された複数の第一端子を基準面に接近する側に押し付ける。【選択図】図５
2019185875.tif 000002
【特許請求の範囲】
【請求項１】
第一コネクタと第二コネクタとを備え、
前記第一コネクタは、第一ハウジングと、該第一ハウジングによって支持された複数の第一端子とを有し、
前記第二コネクタは、第二ハウジングと、該第二ハウジングによって支持された複数の第二端子とを有し、
前記第二端子は、前記第二ハウジングの挿入空間に挿入された前記第一端子と接触する弾性接触部を含み、
前記挿入空間は、該挿入空間に対する前記第一端子の挿入方向と複数の前記第二端子の端子配列方向の双方に直交する方向において前記弾性接触部から離間された基準面を有し、
前記弾性接触部は、前記第一端子との接触を通じて該第一端子を前記直交する方向において前記基準面に接近する側に押し付けるように構成されており、
前記第二ハウジングは、前記直交する方向において前記基準面に接近する側に突出する第二突出部を有し、少なくとも前記第一端子が前記弾性接触部との接触を通じて前記直交する方向において前記基準面に接近する側に押し付けられている際に、前記挿入空間に挿入された前記第一ハウジングと前記第二突出部との当接を通じて前記第一ハウジングによって支持された複数の前記第一端子が前記直交する方向において前記基準面に接近する側に押し付けられるように構成されていることを特徴とするコネクタ装置。
【請求項２】
前記第一ハウジングは、前記直交する方向において前記基準面に接近する側とは反対側に突出している第一突出部を有し、該第一突出部において前記第二突出部と当接する、請求項１に記載のコネクタ装置。
【請求項３】
前記第一端子が前記弾性接触部と接触するタイミングと、前記第一突出部が前記第二突出部と当接するタイミングが、ほぼ同時である、請求項２に記載のコネクタ装置。
【請求項４】
前記第二突出部は、前記端子配列方向に沿う方向において、前記第二端子の配列の外側に、及び／又は、前記第二端子の配列の中間に、配置されている、請求項２又は３に記載のコネクタ装置。
【請求項５】
前記基準面は、前記第一ハウジングが前記挿入空間に挿入される際に前記第一ハウジングが摺接される摺接面である、請求項１乃至４のいずれかに記載のコネクタ装置。
【請求項６】
前記基準面は、前記第二ハウジング、及び／又は、前記第二端子によって形成されている、請求項１乃至５のいずれかに記載のコネクタ装置。
【請求項７】
前記弾性接触部は金属板から形成されており、前記弾性接触部の、前記第一端子との接触面が、前記金属板の板厚を形成する面である、請求項１乃至６のいずれかに記載のコネクタ装置。
【請求項８】
複数の前記第二端子は各々、金属板から形成されており、少なくとも前記弾性接触部において、前記第二端子は、前記金属板の板面同士を対面させた状態で相隣り合って配列されている、請求項１乃至７のいずれかに記載のコネクタ装置。
【請求項９】
前記第一端子の、前記弾性接触部と接触する部位に、前記直交する方向において前記基準面に接近する側に窪んだ凹部が設けられている、請求項１乃至８のいずれかに記載のコネクタ装置。
【請求項１０】
前記第二端子は、前記弾性接触部が形成された可動片と、前記可動片と連結された固定片とを含む、請求項１乃至９のいずれかに記載のコネクタ装置。
【請求項１１】
前記可動片は、略Ｌ字状部分を含み、前記固定片は、前記挿入方向に沿って形成された略直線状部分を含み、前記可動片と前記固定片は全体として側面視略Ｕ字状の部分を有する、請求項１０に記載のコネクタ装置。
【請求項１２】
前記第一端子の、少なくとも前記弾性接触部と接触する部位は、前記第一ハウジングから露出している、請求項１乃至１１のいずれかに記載のコネクタ装置。
【請求項１３】
前記第一コネクタは、ケーブルコネクタ、前記第二コネクタは、基板コネクタである、請求項１乃至１２のいずれかに記載のコネクタ装置。
【発明の詳細な説明】
【技術分野】
【０００１】
本発明は、端子押し付け構造を有するコネクタ装置、更に言えば、コネクタ装置に含まれるコネクタ同士を接続させる際にコネクタを構成するハウジングに設けた突出部を利用して一方のコネクタの端子を他方のコネクタの所定部分に押し付ける構造を有するコネクタ装置に関する。
【背景技術】
【０００２】
特開２０１５−１８５２５７号公報に上記の構造を含むコネクタ装置の一例が開示されている。このコネクタ装置は、互いに接続され得る、例えばケーブルコネクタのような第一コネクタと、例えば基板コネクタのような第二コネクタとを備える。第一コネクタと第二コネクタの接続時に、第一コネクタの第一端子は、第二コネクタの第二端子、特にその弾性接触部と接触して、下方に押し付けられる。第一端子と第二端子の接続状態を維持するため、第二コネクタの第二ハウジングには、第二端子の弾性接触部の押し付け方向とは逆方向、即ち、上方に、言い換えれば、基準面の側から弾性接触部の側に突出する突出部が設けられており、これに対応して、第一コネクタの第一ハウジングには、下方に、言い換えれば、弾性接触部の側から基準面の側に突出する突出部が設けられている。第一コネクタと第二コネクタの接続時には、第一ハウジングに設けた突出部が、第二ハウジングに設けた突出部を乗り越えて、この結果、第一コネクタと第二コネクタを互いにロックすることができるようになっている。
特許文献１におけるこれらの突出部は、主として、第１コネクタと第２コネクタを互いにロックするために設けられているものであるが、実のところ、第１コネクタと第２コネクタの接続時に、第１端子と第２端子の相対位置は、第１ハウジングの突出部と第２ハウジングの突出部の接触を通じて移動することになる。更に言えば、第一端子は、これらの突出部の接触を通じて、上方に、即ち、基準面の側から弾性接触部の側に押し付けられることになる。従って、特許文献１には、上記の構造を含むコネクタ装置の一例が開示されているということができる。
【先行技術文献】
【特許文献】
【０００３】
【特許文献１】特開２０１５−１８５２５７号公報
【発明の概要】
【発明が解決しようとする課題】
【０００４】
ところで、第一端子が、第二端子の弾性接触部との接触を通じて押し付けられる方向は、当該第一端子が、突出部の接触を通じて受ける方向とは逆方向であるから、この場合、第二端子の弾性接触部には、第一端子を押し付ける方向とは逆方向の、更に言えば、本来は予定していない不要な方向に力が加わることになり、この結果、第二端子が損傷、又は、劣化してしまう危険が生ずる。例えば、特許文献１に開示されたコネクタ装置では、厚さ０．２ｍｍ以下、高さ２．０ｍｍ以下といった小さな第二端子の使用も想定されていることから、小さな負荷であっても第二端子に大きな損傷を与えてしまう、又は、バネ性を劣化せてしまう可能性が高く、このため、第二端子にかかる負荷を軽減して、第二端子の損傷や劣化を可能な限り防ぐことが所望される。
【０００５】
本願発明はこのような従来技術における問題点を解決するためになされたものであり、端子押し付け構造を有するコネクタ装置において、コネクタ装置に含まれる第一及び第二コネクタそれぞれに含まれる第一端子と第二端子の弾性接触部との接触時に第二端子に加わる負荷を軽減させることができ、第一コネクタと第二コネクタの挿抜に伴う第二端子の損傷や劣化を防ぐことができるコネクタ装置を提供することを目的とする。
【課題を解決するための手段】
【０００６】
上記の課題を解決するため、本発明の一態様によるコネクタ装置は、第一コネクタと第二コネクタとを備え、前記第一コネクタは、第一ハウジングと、該第一ハウジングによって支持された複数の第一端子とを有し、前記第二コネクタは、第二ハウジングと、該第二ハウジングによって支持された複数の第二端子とを有し、前記第二端子は、前記第二ハウジングの挿入空間に挿入された前記第一端子と接触する弾性接触部を含み、前記挿入空間は、該挿入空間に対する前記第一端子の挿入方向と複数の前記第二端子の端子配列方向の双方に直交する方向において前記弾性接触部から離間された基準面を有し、前記弾性接触部は、前記第一端子との接触を通じて該第一端子を前記直交する方向において前記基準面に接近する側に押し付けるように構成されており、前記第二ハウジングは、前記直交する方向において前記基準面に接近する側に突出する第二突出部を有し、少なくとも前記第一端子が前記弾性接触部との接触を通じて前記直交する方向において前記基準面に接近する側に押し付けられている際に、前記挿入空間に挿入された前記第一ハウジングと前記第二突出部との当接を通じて前記第一ハウジングによって支持された複数の前記第一端子が前記直交する方向において前記基準面に接近する側に押し付けられるように構成されていることを特徴として有する。
この態様のコネクタ装置によれば、第一端子が弾性接触部との接触を通じて押し付けられる方向と、第一端子を支持する第一ハウジングが、第二ハウジングとの当接を通じて押し付けられる方向が同じであることから、第一端子と第二端子の弾性接触部との接触時に第二端子に加わる力を軽減させることができ、第一コネクタと第二コネクタの挿抜に伴う第二端子の損傷や劣化を防ぐことができる。
【０００７】
上記態様のコネクタ装置において、前記第一ハウジングは、前記直交する方向において前記基準面に接近する側とは反対側に突出している第一突出部を有し、該第一突出部において前記第二突出部と当接するものであってもよい。
【０００８】
また、上記態様のコネクタ装置において、前記第一端子が前記弾性接触部と接触するタイミングと、前記第一突出部が前記第二突出部と当接するタイミングが、ほぼ同時であるのが好ましい。
これらのタイミングをほぼ同時とすることにより、第二端子にかかる負荷をより効果的に軽減することができる。
【０００９】
更に、上記態様のコネクタ装置において、前記第二突出部は、前記端子配列方向に沿う方向において、前記第二端子の配列の外側に、及び／又は、前記第二端子の配列の中間に、配置されていてもよい。
【００１０】
また、上記態様のコネクタ装置において、前記基準面は、前記第一ハウジングが前記挿入空間に挿入される際に前記第一ハウジングが摺接される摺接面であってもよい。
上記態様のコネクタ装置において、前記基準面は、前記第二ハウジング、及び／又は、前記第二端子によって形成されてもよい。
【００１１】
また、上記態様のコネクタ装置において、前記弾性接触部は金属板から形成されており、前記弾性接触部の、前記第一端子との接触面が、前記金属板の板厚を形成する面であるのが好ましい。
板面を接触面とすることにより、第二端子が小さい場合であっても強度を確保することが容易となる。
更に、上記態様のコネクタ装置において、複数の前記第二端子は各々、金属板から形成されており、少なくとも前記弾性接触部において、前記第二端子は、前記金属板の板面同士を対面させた状態で相隣り合って配列されていてもよい。
【００１２】
更にまた、上記態様のコネクタ装置において、前記第一端子の、前記弾性接触部と接触する部位に、前記直交する方向において前記基準面に接近する側に窪んだ凹部が設けられているのが好ましい。
この構成によれば、第二端子にかかる負荷を軽減することができる。
【００１３】
上記態様のコネクタ装置において、前記第二端子は、前記弾性接触部が形成された可動片と、前記可動片と連結された固定片とを含んでいてもよい。
また、前記可動片は、略Ｌ字状部分を含み、前記固定片は、前記挿入方向に沿って形成された略直線状部分を含み、前記可動片と前記固定片は全体として側面視略Ｕ字状の部分を有していてもよい。
【００１４】
上記態様のコネクタ装置において、前記第一端子の、少なくとも前記弾性接触部と接触する部位は、前記第一ハウジングから露出していてもよい。
【発明の効果】
【００１５】
本願発明によれば、端子押し付け構造を有するコネクタ装置において、コネクタ装置に含まれる第一及び第二コネクタそれぞれに含まれる第一端子と第二端子の弾性接触部との接触時に第二端子に加わる負荷を軽減させることができ、第一コネクタと第二コネクタの挿抜に伴う第二端子の損傷や劣化を防ぐことができるコネクタ装置を提供することができる。
【図面の簡単な説明】
【００１６】
【図１】ケーブルコネクタと基板コネクタの嵌合前の状態を示す斜視図である。
【図２】ケーブルコネクタと基板コネクタの嵌合後の状態を示す平面図である。
【図３】ケーブル端子の斜視図である。
【図４】ケーブルハウジングを底面側から見た部分拡大斜視図である。
【図５】基板コネクタの断面斜視図である。
【図６】図２のＩ−Ｉ線断面図であって、ケーブルコネクタと基板コネクタの嵌合後の状態を示す。
【図７】図２のII−II線断面図であって、ケーブルコネクタと基板コネクタの嵌合後の状態を示す。
【図８】図２のＩ−Ｉ線における断面図に相当する図であって、ケーブルコネクタと基板コネクタが完全に嵌合する前の状態を示す。
【図９】図２のII−II線における断面図に相当する図であって、ケーブルコネクタと基板コネクタが完全に嵌合する前の状態を示す。
【発明を実施するための形態】
【００１７】
以下、添付図面を参照しつつ、本発明の好適な一つの実施形態について説明する。説明の便宜のため好適な実施形態のみを示すが、勿論、これによって本発明を限定しようとするものではない。
【００１８】
本発明のコネクタ装置１は、互いに嵌合可能な第一コネクタとしてのケーブルコネクタと、第二コネクタとしての基板コネクタの組から成る。図１は、これらケーブルコネクタ２０と基板コネクタ５０の嵌合前の状態を示す斜視図、図２は、嵌合後の状態を示す平面図である。ケーブルコネクタ２０は、ケーブル１１の一端に固定した状態で使用され、一方、基板コネクタ５０は、基板１３に固定した状態で使用される。これらケーブルコネクタ２０と基板コネクタ５０は、それぞれ、左右対称形状を有する。
【００１９】
ケーブルコネクタ２０は、主に、端子配列方向（長手方向）「γ」に延びるケーブルハウジング２１と、このケーブルハウジング２１によって支持された、端子配列方向「γ」に沿って配列された、複数の同形状のケーブル端子４０を含む。尚、本明細書における「端子配列方向」には、ケーブル端子４０が一直線上に配列されている場合だけでなく、例えば、千鳥状に設けられている場合も含まれる。
【００２０】
ケーブルハウジング２１は、主に、端子配列方向「γ」に延びる本体部２９と、本体部２９の前側、言い換えれば、ケーブルコネクタ２０と基板コネクタ５０の嵌合方向「α」における嵌合側に設けられた嵌合凸部２２から成る。嵌合凸部２２には、複数のケーブル端子４０が、端子配列方向「γ」に沿って互いに所定のピッチで略一列に配置されている。
【００２１】
本体部２９は、例えば、略箱状体として、また、嵌合凸部２２は、本体部２９よりも上下方向「β」、言い換えれば、嵌合方向「α」と端子配列方向「γ」の双方に直交する方向において薄肉であって、且つ、端子配列方向「γ」において幅狭である板状体として、それぞれ形成されている。これら本体部２９と嵌合凸部２２により、ケーブルハウジング２１は、全体として側面視略凸形状を成す。嵌合凸部２２の端子配列方向「γ」における左右外側面にはそれぞれ、略半円状の突出部２５が設けられている。これらの突出部２５は、上方に突出している。
【００２２】
嵌合凸部２２は、ケーブルコネクタ２０と基板コネクタ５０を嵌合させる際に、嵌合方向（挿入方向）「α」に沿って、基板コネクタ５０の基板ハウジング５１に設けた挿入空間５２に挿入される。この結果、ケーブル端子４０の一部もまた、挿入空間５２に挿入される。挿入空間５２に挿入される嵌合凸部２２の上面は、各ケーブル端子４０の配置位置において嵌合方向「α」に沿って一部を取り除くことにより櫛歯状に形成されており、各ケーブル端子４０の上面の一部は、櫛歯の隙間２８からケーブルハウジング２１の外部に露出している。これらの露出部等を通じて、各ケーブル端子４０は、基板コネクタ５０側の端子と接触することになる。
【００２３】
本体部２９の後側に、複数の端子挿通口２４が設けられている。ケーブル端子４０や、ケーブル端子４０の一端にかしめられたケーブル１１の一部は、これらの各端子挿通口２４を通じて、嵌合方向「α」に沿って、ケーブルハウジング２１に挿入、設置される。
【００２４】
図３の（ａ）、（ｂ）に、ケーブル端子４０の斜視図を示す。ケーブル端子４０は各々、一枚の金属板を打ち抜き、折り曲げることによって、略筒状に形成されている。ケーブル４０の、嵌合方向「α」における後側には、ケーブル１１の一端が収容、設置される開口４５が設けられている。ケーブル１１の一端を収容した状態で開口４５をカシメることにより、ケーブル１１はそこに固定される。
【００２５】
一方、ケーブル端子４０の、嵌合方向「α」における前側には、上下方向「β」において互いに離間された上部接触面４７と底部接触面４６が形成されている。ケーブル端子４０は、これら上部接触面４７と底部接触面４６のそれぞれの面において、基板コネクタ５０の基板端子６０と接触し得る。
【００２６】
ケーブル端子４０の上部接触面４７に、基板コネクタ５０の基板端子６０との接触を確実にするため、基板端子６０の一部が嵌る凹部４１が設けられている。基板端子６０との接触を和らげるため、上部接触面４７の先端には、テーパー４２を設けるのが好ましい。
【００２７】
ケーブル端子４０の底部接触面４６の後側には、係止片４３が、下方に突出した状態で設けられている。ケーブル端子４０は、この係止片４３を利用して、ケーブルハウジング２１に係止される。係止片４３の更に後側には、凹部４４が設けられている。凹部４４には、ケーブル端子４０をケーブルハウジング２１の内部の所定の位置に設置するためにケーブルハウジング２１に設けたランス２３を引っ掛けることができる。
【００２８】
図４に、ケーブルハウジング２１を底面側から見た部分拡大斜視図を示す。ランス２３は、本体部２９によって片持ち梁状に支持された状態で、嵌合方向「α」に沿って設けられており、その先端は、嵌合凸部２２の、嵌合方向「α」における中間付近に位置する。端子挿通口２４を通じてケーブルハウジング２１にケーブル端子４０が挿入されたとき、ランス２３は、その弾性作用によって、ケーブル端子４０の凹部４４（図３参照）に嵌る。この結果、ケーブル端子４０は、ケーブルハウジング２１の所定の位置に位置決めされる。ランス２３の底面２３ａは、嵌合凸部２２が挿入される、基板コネクタ５０の挿入空間５２の少なくとも一部の面５６（図１参照）に対応して平らな面を成している。同様に、嵌合凸部２２の、嵌合方向「α」における前側の少なくとも一部の底面２７も、嵌合凸部２２が挿入される、基板コネクタ５０の挿入空間５２の少なくとも一部の面（基準面）５４（図１参照）に対応して平らな面を成している。
【００２９】
図５に、基板コネクタ５０の断面斜視図を示す。この図における断面位置は、図２のＩ−Ｉ線に相当するものと考えてよい。基板コネクタ５０は、主に、端子配列方向「γ」に延びる基板ハウジング５１と、この基板ハウジング５１によって支持された複数の同形状の基板端子６０、及び、端子配列方向「γ」における基板ハウジング５１の左右外側面にそれぞれ設けた補強金具１２を含む。基板ハウジング５１は、基板端子６０や補強金具１２を通じて基板１３（図１参照）に固定される。
【００３０】
基板端子６０を基板ハウジング５１に配置するため、基板ハウジング５１の後側に、複数の端子挿通口６６が設けられている。各基板端子６０は、これらの端子挿通口６６のそれぞれを通じて、嵌合方向「α」に沿って基板ハウジング５１に挿入、設置され、ケーブルコネクタ２０の嵌合凸部２２が挿入される挿入空間５２において、ケーブルコネクタ２０のケーブル端子４０のそれぞれに対応して端子配列方向「γ」に沿って互いに所定のピッチで略一列に配置される。
【００３１】
基板端子６０は、一枚の金属板を打ち抜くことによって、板状に形成されており、基板ハウジング５１において、それぞれの金属板の板面同士を端子配列方向「γ」において対面させた状態で相隣り合って配列される。各基板端子６０は、支持部６１と、支持部６１に連結された弾性腕部６２、及び、実装部６３を含む。
実装部６３は、支持部６１と弾性腕部６２との連結部付近に設けられた部分であって、基板端子６０を基板に半田付けするために使用される。実装部６３を基板の所定部分に半田付けすることにより、基板端子６０を基板に固定するとともに、基板の所定部分と電気的に接続することができる。
支持部６１は、固定片として使用される部分であって、嵌合方向「α」に沿って形成された略直線状部分を含み、実装部６３と同様に支持部６１と弾性腕部６２との連結部付近に、基板ハウジング５１に係止される係止突部６１ａを有する。基板端子６０は、係止突部６１ａを基板ハウジング５１の端子挿通口６６に圧入することによって、基板ハウジング５１に固定される。
弾性腕部６２は、可動片として使用される部分であって、支持部６１から片持ち梁状に延びる略Ｌ字状部分を含み、支持部６１と弾性腕部６２の全体で側面視略Ｕ字状の部分を成る。略Ｕ字の内部は、ケーブルコネクタ５０のケーブル端子４０の所定部分、特に、その上部接触面４７と底部接触面４６が挿入される挿入空間６５を形成している。挿入空間６５に挿入されることにより、ケーブル端子４０は基板端子６０と接触する。ケーブル端子４０との電気的な接触を確実にするため、弾性腕部６２の先端に弾性接触部６２ａが設けられている。弾性接触部６２ａにおけるケーブル端子４０との接触面６２ｂには、金属板の板厚を形成する面、即ち、破断面を使用する。接触面を破断面とすることにより、基板端子６０が小さい場合であっても強度を確保することができる。ケーブル端子４０との接触時に、弾性接触部６２ａは、ケーブル端子４０、例えば、その先端のテーパー４２との接触を通じて弾性腕部６２の弾性作用によって上方に一旦持ち上がり、その後、ケーブル端子４０の上部接触面４７に設けた凹部４１に嵌る。弾性接触部６２ａを凹部４１に嵌め込むことにより、基板端子６０とケーブル端子４０の接触を安定させることができる。挿入空間５２には、弾性接触部６２ａの持ち上がりを考慮して、接触防止用の逃げ空間５７が設けられている。
【００３２】
挿入空間５２には、嵌合方向「α」と端子配列方向「γ」の二方向によって規定される平らな基準面（摺接面）５４が設けられている。挿入空間５２に嵌合凸部２２が挿入される際、嵌合凸部２２の前側の底面２７（図４参照）は、この基準面５４の上を嵌合方向「α」に沿って摺接し、最終的にそこに載置される。嵌合凸部２２の底面２７を案内するため、基準面５４の前側にはテーパー５４ａを設けるのが好ましい。基準面５４は、上下方向「β」において弾性接触部６２ａから離間させた状態で、上下方向「β」における下方に位置付けられている。基準面５４と嵌合凸部２２の底面２７は共に平らな面として形成されていることから、嵌合凸部２２は、平らな面同士を摺接させることにより、また、最終的に基準面５４に載置された状態で、挿入空間５２に保持されることになる。
【００３３】
挿入空間５２には、また、挿入空間５２に嵌合凸部２２が挿入される際に、嵌合凸部２２の中間付近に設けたランス２３の底面２３ａ（図４参照）が摺接して最終的に載置される平らな面５６が、嵌合方向「α」に沿って設けられている。ランス２３の底面２３ａを案内するため、面５６の前側にはテーパー５６ａを設けるのが好ましい。面５６ランス２３の底面２３ａは共に平らな面として形成されていることから、ランス２３は、平らな面同士を摺接させることにより、また、最終的に面５６に載置された状態で、挿入空間５２に保持されることになる。尚、嵌合凸部２２における底面２７とランス２３の底面２３ａとの段差に対応して、基準面５４は、面５６よりも、上下方向「β」において、若干高い位置に位置付けられている。
【００３４】
挿入空間５２の端子配列方向「γ」における左右内側面に、それぞれ、嵌合凸部２２の突出部２５に対応して、略半円状の突出部５５が設けられている。これらの突出部５５は、突出部２５とは反対側に、言い換えれば、上下方向「β」において基準面５４に接近する側とは反対側に突出している。
【００３５】
図６乃至図９を参照して、突出部２５、５５の機能を説明する。図６、図７は、それぞれ、図２のＩ−Ｉ線断面図とII−II線断面図であって、ケーブルコネクタ２０と基板コネクタ５０の嵌合後の状態、言い換えれば、基板端子６０の挿入空間６５にケーブル端子４０が挿入された後の状態を示す。一方、図８、図９は、それぞれ、図２のＩ−Ｉ線における断面図に相当する図とII−II線における断面図に相当する図であるが、図６、図７とは異なり、ケーブルコネクタ２０と基板コネクタ５０が完全に嵌合する前の状態、更に詳細には、ケーブルハウジング２１の嵌合凸部２２が、基板ハウジング５１の挿入空間５２に挿入されて、ケーブル端子４０、特に、その先端に設けたテーパー４２が、基板端子６０の弾性接触部６２ａと接触した直後の状態を示している。
【００３６】
図８に示すように、ケーブル端子４０のテーパー４２が基板端子６０の弾性接触部６２ａと接触したとき、ケーブル端子４０は、弾性接触部６２ａとの接触を通じて上下方向「β」において基準面５４に接近する側に押し付けられる。また、ケーブル端子４０が、弾性接触部６２ａとの接触を通じて上下方向「β」において基準面５４に接近する側に押し付けられている際、図９に示すように、ケーブルハウジング２１の突出部２５が基板ハウジング５１の突出部５５と当接し、この当接を通じて、ケーブルハウジング２１、更に言えば、ケーブルハウジング２１によって支持されたケーブル端子４０もまた、上下方向「β」において基準面５４に接近する側に押し付けられる。このように、本構成によれば、ケーブル端子４０が弾性接触部６２ａとの接触を通じて押し付けられる方向と、ケーブルハウジング２１、更に言えば、ケーブルハウジング２１によって支持されたケーブル端子４０が、突出部２５と突出部５５との当接を通じて押し付けられる方向が同じであることから、ケーブル端子４０と弾性接触部６２ａとの接触時に基板端子６０に加わる力を軽減させることができ、ケーブルコネクタと基板コネクタの挿抜に伴う基板端子６０の損傷や劣化を軽減することができる。
特に、本実施形態では、ケーブル端子４０が弾性接触部６２ａと接触するタイミングと、ケーブルハウジング２１の突出部２５が基板ハウジング５１の突出部５５と当接するタイミングとを、ほぼ同時としており、これにより、基板端子６０にかかる負荷をより効果的に軽減することができる。但し、これらのタイミングは必ずしも同時とする必要はない。
【００３７】
ケーブルコネクタ２０と基板コネクタ５０を嵌合させたとき、図６に示すように、基板端子６０の挿入空間６５にケーブル端子４０が挿入され、この結果、基板端子６０の弾性接触部６２ａは、ケーブルハウジング２１から露出させた、ケーブル端子４０の上部接触面４７の凹部４１に嵌る。この結果、基板端子６０とケーブル端子４０は、より確実に接続される。尚、ケーブル端子４０に設けた凹部４１は、弾性接触部６２ａが接触する部位に、上下方向「β」において基準面５４に接近する側に窪んだ状態で設けられていることから、基板端子６０にかかる負荷を軽減する働きをも有する。また、この凹部４１は、ケーブル端子４０の下部接触面４６ではなく、上部接触面４７に設けられていることから、ケーブル端子４０と基板端子６０、更に言えば、ケーブル端子４０の下部接触面４６と基板端子６０の支持部６１の面６１ｂとの接触を妨げることはなく、よって、凹部を設けた場合にもケーブル端子４０は基板端子６０の挿入空間６５にスムーズに挿入されることになる。ケーブルコネクタ２０と基板コネクタ５０を嵌合させたとき、ケーブルコネクタ２０と基板コネクタ５０の嵌合状態、更に言えば、基板端子６０とケーブル端子４０の接続状態は、図７に示すように、突出部２５、５５によってロックされることから、ケーブルコネクタ２０と基板コネクタ５０の嵌合状態を解除するには、突出部２５と突出部５５を干渉させて、突出部２５が突出部５５を乗り越える必要がある。このように、突出部２５、５５は、基板端子６０にかかる負荷を軽減等する働きを有するだけでなく、ロック機構としての機能も果たす。
【００３８】
尚、本発明は、上述した実施の形態に限定されるわけではなく、その他種々の変更が可能である。
例えば、上に説明した実施形態では、基板ハウジング５１の突出部５５を、挿入空間５２の端子配列方向「γ」における左右内側面に、言い換えれば、端子配列方向「γ」に沿う方向において基板端子６０の配列の外側に設けることとしていたが、これらを基板端子６０の配列の中間に、また、左右内側面に加えて中間に、更に、左右内側面には設けることなく中間にのみ配置してもよい。
【００３９】
また、ケーブルハウジング２１の突出部２５は必ずしも必要ではなく、突出部を設けずとも、ケーブルハウジング２１と基板ハウジング５１の突出部５５の当接を通じて、ケーブル端子４０が基準面５４の側に押し付けられれば足りる。従って、ケーブルハウジング２１には、基板ハウジング５１の突出部５５と当接する部分が存在すれば足りる。
【００４０】
更に、上に説明した実施形態では、基準面５４を、基板ハウジング５１に設けていたが、これを基板端子６０、更に言えば、基板端子６０の支持部６１に設けた平らな面６１ｂ（図５参照）によって、また、この平らな面６１ｂと基準面５４とによって形成してもよい。
【符号の説明】
【００４１】
１  コネクタ装置
１１  ケーブル
１３  基板
２０  ケーブルコネクタ（第一コネクタ）
２１  ケーブルハウジング（第一ハウジング）
２３  ランス
２５  第一当接部
４０  ケーブル端子（第一端子）
４１  凹部
５０  基板コネクタ（第二コネクタ）
５１  基板ハウジング（第二ハウジング）
５２  挿入空間
５４  基準面
５５  第二当接部
６０  基板端子（第二端子）
６１ｂ  板面
６２  弾性腕部（可動片）
６２ａ  弾性接触部
６２ｂ  板面
６３  固定部
【図１】
2019185875.tif 000003
【図２】
2019185875.tif 000004
【図３】
2019185875.tif 000005
【図４】
2019185875.tif 000006
【図５】
2019185875.tif 000007
【図６】
2019185875.tif 000008
【図７】
2019185875.tif 000009
【図８】
2019185875.tif 000010
【図９】
2019185875.tif 000011